(57)【要約】      （修正有）【解決手段】複数のモジューラー式ファンを有するファン組立体は、ファンモジュールを受容するためのソケット７１０と、ソケットの第１の側壁７１４に連結されるファンフラップ７３０と、ソケットの第２の側壁７１２に連結されるリフロー防止装置１００とを含む。ファンフラップは、第１の位置と第２の位置の間で湾曲した経路を移動する。リフロー防止装置は、取り付け特徴部、エンボス特徴部１２０、および停止特徴部１３２を有する。取り付け特徴部は、リフロー防止装置を第２の側壁に取り付ける。エンボス特徴部は、第２の側壁の第１の開口部を通って延びる。停止特徴部は、第２の側壁の第２の開口部を通って延びファンフラップに接触する。ファンモジュールが取り外されると、停止特徴部が、ファンフラップを第１の位置に保持しソケットを遮断する。【効果】複数のファンの１つが故障した場合でもソケットを通した空気のリフローを防ぐことができる。【選択図】図８
2020149659.tif 000002
【特許請求の範囲】
【請求項１】
ソケット内で揺動するファンフラップの故障を防ぐためのリフロー防止装置であって、
近位端および遠位端を有するプレートと、
前記プレートの前記近位端に配置される取り付け特徴部であって、前記取り付け特徴部が、１つまたは複数の孔を含み、前記１つまたは複数の孔のそれぞれが、前記プレートの前記近位端を前記ソケットの壁に取り付けて、前記プレートの前記遠位端が前記壁に対して移動できるようにするために、少なくとも１つの留め具を受容するように構成される、取り付け特徴部と、
前記近位端と前記遠位端との間で前記プレートから延びるエンボス特徴部であって、前記エンボス特徴部が、前記ソケットに挿入されたファンモジュールと接触するように構成される、エンボス特徴部と、
前記プレートの前記遠位端から延びる停止特徴部であって、前記停止特徴部が、前記揺動するファンフラップに接触するように構成される、停止特徴部と
を備える装置。
【請求項２】
前記プレートが、矩形状を有し、前記プレートが、金属またはプラスチックから製造され、前記停止特徴部が、半ドーム形状を有し、前記エンボス特徴部が、矩形状を有する、請求項１記載の装置。
【請求項３】
前記エンボス特徴部と前記停止特徴部との間で前記プレート内に画定される逃げ切り欠き部をさらに備える請求項１記載の装置。
【請求項４】
請求項１記載のリフロー防止装置を保持するためにソケットに挿入するためのファンモジュールフレームであって、
上端および下端を有する側部支持体と、
前記側部支持体の前記上端に連結される一端を有する上部支持体と、
前記側部支持体の前記下端に連結される一端を有する底部支持体と、
前記側部支持体から延びる支持タブであって、前記支持タブが、前記リフロー防止装置の近位端を保持するように構成される、支持タブと
を備えるファンモジュールフレーム。
【請求項５】
リフローを防ぐためのモジュール式ファンの組立体であって、
前記組立体が、
第１の側壁、第２の側壁、および水平棚によって画定されるソケットであって、前記ソケットが、前記第１の側壁と前記第２の側壁との間でファンモジュールを受容するように構成される、ソケットと、
前記第１の側壁に回転可能に連結されるファンフラップであって、前記ファンフラップが、第１の位置と第２の位置との間を移動するように構成される、ファンフラップと、
前記ソケットの前記第２の側壁に連結されるリフロー防止装置であって、前記リフロー防止装置が、近位端および遠位端を有する、リフロー防止装置と
を備え、
前記リフロー防止装置が、
前記近位端に配置される取り付け特徴部であって、前記取り付け特徴部が、前記近位端を、前記ソケットの前記第２の側壁に取り付けるように構成される、取り付け特徴部と、
前記近位端と前記遠位端との間に配置されるエンボス特徴部であって、前記エンボス特徴部が、前記ファンモジュールが前記ソケットに挿入されることに応答して、前記ファンモジュールに接触するように構成される、エンボス特徴部と、
前記遠位端に配置される停止特徴部であって、前記停止特徴部が、前記ファンフラップに接触するように構成される、停止特徴部と
をさらに含む、組立体。
【請求項６】
前記ファンフラップが前記第１の位置にあるとき、前記ファンフラップの前縁が、前記ソケットの前縁と前記停止特徴部との間に配置される、請求項５記載の組立体。
【請求項７】
前記ファンフラップが前記第２の位置にあるとき、前記ファンフラップの前縁が、前記停止特徴部と前記第１の側壁との間に配置される、請求項６記載の組立体。
【請求項８】
前記停止特徴部は、前記ファンモジュールが前記ソケットから取り外されたときに、前記ファンフラップを前記第１の位置に保持するように構成される、請求項７記載の組立体。
【請求項９】
前記リフロー防止装置は、前記第２の側壁が前記リフロー防止装置と前記ファンモジュールとの間に配置されるように、前記第２の側壁の、前記ファンモジュールと反対側に連結され、第１の開口部および第２の開口部が、前記第２の側壁に画定され、前記リフロー防止装置の前記エンボス特徴部が、前記第２の側壁の前記第１の開口部を通って延びるように構成され、前記リフロー防止装置の前記停止特徴部が、前記第２の側壁の前記第２の開口部を通って延びるように構成される、
請求項５記載の組立体。
【請求項１０】
前記ファンモジュールは、前記ファンモジュールが前記ソケットに受容されることに応答して、前記エンボス特徴部に接触し、それによって、前記停止特徴部を前記第２の開口部から後退させる、請求項９記載の組立体。
【発明の詳細な説明】
【技術分野】
【０００１】
本開示は、概して、ファンシステムに関する。より具体的には、本開示の態様は、ファンフラップの故障を防ぐための機構を含む一体型ファン壁システムに関する。
【背景技術】
【０００２】
サーバーなどの電子デバイスには、共通の電源で駆動される多数の電子コンポーネントが含まれている。サーバーは、コントローラ、プロセッサ、メモリなどの内部電子デバイスの動作により、大量の熱を発生する。そのような熱の非効率的な除去による過熱は、そのようなデバイスの動作を停止または妨害する可能性を有している。したがって、サーバーは、電子コンポーネントから発生した熱を運び去るために、デバイスの内部を通る空気の流れに依存するように設計される。サーバーには、多くの場合、処理ユニットなどの電子コンポーネントに取り付けられている、さまざまなヒートシンクが含まれる。ヒートシンクは通常、熱伝導性材料で構成される。ヒートシンクは、電子コンポーネントからの熱を吸収し、それによってコンポーネントから熱を逃がす。ヒートシンクからの熱は、サーバーから放出される必要がある。このような熱を逃がすための空気流は、多くの場合、ファンシステムによって生成される。
【０００３】
典型的なファンシステムは、複数のファンを含むことになる。このようなファンは、最大の冷却を提供するためにファン壁にグループ化され得る。さらに、追加のファンは、ファン壁のファンの１つが故障した場合でもサーバーの動作を可能にする冗長性を提供する。ファン壁は、モジュラー式ファンで構成されており、故障した場合は個別に交換できるため、ファン壁と、関連するサーバーの動作の継続を可能にする。
【０００４】
図１は、サーバなどのコンピューティングデバイスまたはシステムの一部として含めることができるファン壁２０の斜視図である。サーバーのコンポーネントは、サーバーの動作中にファン壁２０によって冷却される。この例のファン壁２０は、垂直シートから形成された垂直壁２２、２４、および２６を含む。ファン壁２０は、水平棚３２、３４、および３６も含む。垂直壁２２、２４、および２６は、水平棚３２、３４、および３６とともに、ファンモジュール４０、４２、４４、４６、および４８などのファンモジュールを保持するためのソケットを形成する。ファンモジュール４０などのファンモジュールは、それぞれのソケット５０から取り外すことができる。この例では、ソケット５０は、垂直壁２２および２４、ならびに棚３２によって画定される。ファンモジュール４０は、ノブ５４を含む回転可能なブラケット５２を含む。ブラケット５２は、ファンモジュール４０の下端の軸から回転する。ファンモジュール４０がソケット５０に挿入されると、回転可能なブラケット５２は上方位置に移動して、ファンモジュール４０を所定の位置にロックする。ファンモジュール４０を交換する必要がある場合、ユーザーは、ノブ５４を引いてブラケット５２を引き下げ、ファンモジュール４０をソケット５０から解放することができる。
【０００５】
ファンモジュール４０などのファンモジュールのホットスワップ中の空気のリフローを防止するために、ソケットのそれぞれは、それぞれのソケットにファンフラップを含む。例示的なファンフラップは、ソケット５０内のファンフラップ６０である。ファンフラップ６０は、垂直壁２４のヒンジに取り付けられる。ファンフラップ６０は、通常、ソケット５０へのファンモジュール４０の挿入によって、垂直壁２４と面一となる位置まで回転させられる。
【０００６】
例示的なファンモジュール４０が故障すると、ソケット５０からのファンモジュール４０の取り外しが起こり得る。そのような場合、他のファンモジュール４２、４４、４６、および４８は、サーバーを冷却するために動作し続ける。他のファンからの気流は、矢印７０で示すように、圧力低下を引き起こす空気のリフローを引き起こす。ファンモジュール４０が取り外されると、図１に示すように、バネ機構により、ファンフラップ６０が垂直壁２４から離れるように揺動して、ファンモジュール４０によってそれまで占拠されていたソケットを遮断する。したがって、ファンフラップ６０は、他のファンモジュールからの空気流によって生成される冷却を妨げる可能性のあるソケット５０を通る空気流を遮断する。
【０００７】
しかし、一旦ファンモジュール４０がソケット５０から取り外されると、空のソケット５０の圧力降下がバネ機構の力に打ち勝つため、ファンフラップ６０が垂直壁２４に向かって内側に移動する可能性がある。ファンフラップ６０が内側に移動すると、ソケット５０を遮断できず、ソケット５０を通る空気流が発生し、それによってファン壁２０の冷却機能が妨げられる可能性がある。最近のサーバーシステムでは、ファンの電力に対する要求が劇的に増大しているため、ファンフラップの故障率が増加している。したがって、ファンフラップの故障を防ぐ効果的なリフロー防止機構が求められる。
【０００８】
したがって、ファンモジュールを交換する必要がある場合にリフローを防ぐために効果的な機構を使用するファンシステムに対するニーズがある。異なるファンモジュール構造に適合できるファンフラップ構造に対するさらなるニーズがある。
【先行技術文献】
【特許文献】
【０００９】
【特許文献１】中国特許出願公開第１０１４５２３２２号明細書
【発明の概要】
【００１０】
本開示の様々な例は、ファン壁の故障を防ぐための装置およびシステムを対象とする。本開示の第１の実施形態では、ソケット内で揺動するファンフラップの故障を防止するためのリフロー防止装置が提供される。リフロー防止装置は、プレート、取り付け特徴部（attachment feature）、エンボス特徴部（embossed feature）、および停止特徴部（stopping feature）を備える。プレートは、近位端および遠位端を有する。取り付け特徴部は、プレートの近位端に配置され、プレートの近位端をソケットの壁に取り付けて、プレートの遠位端が壁に対して移動するのを可能にするように構成される。エンボス特徴部は、近位端と遠位端との間でプレートから延びる。エンボス特徴部は、ソケットに挿入されたファンモジュールに接触するように構成される。停止特徴部は、プレートの遠位端から延び、揺動するファンフラップに接触するように構成される。
【００１１】
第１の実施形態のいくつかの例では、プレートは、矩形状を有する。
【００１２】
第１の実施形態のいくつかの例では、取り付け特徴部は、１つまたは複数の孔を含む。１つまたは複数の孔のそれぞれは、プレートをソケットの壁に取り付けるために、少なくとも１つの留め具を受容するように構成され得る。
【００１３】
第１の実施形態のいくつかの例では、プレートは、板状金属もしくはダイカスト金属などの金属、またはプラスチックから製造される。
【００１４】
第１の実施形態のいくつかの例では、停止特徴部は、半ドーム形状を有する。
【００１５】
第１の実施形態のいくつかの例では、エンボス特徴部は、矩形状を有する。
【００１６】
第１の実施形態のいくつかの例では、リフロー防止装置は、エンボス特徴部と停止特徴部との間のプレートに画定される逃げ切り欠き部（relief cutout）をさらに備える。
【００１７】
第１の実施形態のいくつかの例では、リフロー防止装置は、ファンモジュールフレームによって保持される。ファンモジュールフレームは、側部支持体、底部支持体、上部支持体、および支持タブを備える。側部支持体は、上端および下端を有する。上部支持体は、側部支持体の上端に連結された一端を有する。底部支持体は、側部支持体の下端に連結された一端を有する。支持タブは、側部支持体から延びており、リフロー防止装置の近位端を保持するように構成される。
【００１８】
本開示の第２の実施形態では、モジュール式ファン組立体は、ソケット、ファンフラップ、およびリフロー防止装置を備える。ソケットは、ファンモジュールを受容するように構成され、第１の側壁、第２の側壁、および水平棚によって画定される。ファンフラップは、第１の側壁に回転可能に連結され、第１の側壁に対して湾曲した経路で移動するように構成される。リフロー防止装置は、第２の側壁に連結され、近位端および遠位端を有する。
【００１９】
第２の実施形態では、リフロー防止装置は、取り付け特徴部、エンボス特徴部、および停止特徴部を含む。取り付け特徴部は、近位端に配置され、近位端をソケットの第２の側壁に取り付けるように構成される。エンボス特徴部は、近位端と遠位端との間に配置される。エンボス特徴部は、ファンモジュールがソケットに挿入されることに応答して、ファンモジュールに接触するように構成される。停止特徴部は、遠位端に配置され、揺動するファンフラップに接触するように構成される。
【００２０】
第２の実施形態のいくつかの例では、ファンフラップは、第１の位置と第２の位置との間の湾曲した経路で移動するように構成される。
【００２１】
第２の実施形態のいくつかの例では、ファンフラップが第１の位置にあるとき、ファンフラップの前縁は、ソケットの前縁と停止特徴部との間に配置される。
【００２２】
第２の実施形態のいくつかの例では、ファンフラップが第２の位置にあるとき、ファンフラップの前縁は、停止特徴部と第１の側壁との間に配置される。
【００２３】
第２の実施形態のいくつかの例では、停止特徴部は、ファンモジュールがソケットから取り外されたときに、ファンフラップを第１の位置に保持するように構成される。
【００２４】
第２の実施形態のいくつかの例では、ソケットは、第１の側壁と第２の側壁との間にファンモジュールを受容するように構成される。
【００２５】
第２の実施形態のいくつかの例では、リフロー防止装置は、第２の側壁がリフロー防止装置とファンモジュールとの間に位置するように、第２の側壁の、ファンモジュールと反対側に連結される。
【００２６】
第２の実施形態のいくつかの例では、第１の開口部および第２の開口部が、第２の側壁に画定される。
【００２７】
第２の実施形態のいくつかの例では、リフロー防止装置のエンボス特徴部は、第２の側壁に画定された第１の開口部を通って延びる。
【００２８】
第２の実施形態のいくつかの例では、リフロー防止装置の停止特徴部は、停止特徴部がファンフラップの湾曲経路に配置されるように、第２の側壁に画定された第２の開口部を通って延びる。
【００２９】
第２の実施形態のいくつかの例では、ファンモジュールは、ファンモジュールがソケットに受容されることに応答して、エンボス特徴部に接触する。
【００３０】
第２の実施形態のいくつかの例では、ファンモジュールとエンボス特徴部との間の接触により、停止特徴部がファンフラップの湾曲経路に配置されないように、停止特徴部が第２の開口部から後退する。
【００３１】
第２の実施形態のいくつかの例では、ファンフラップは、ファンモジュールがソケットから取り外されることに応答して、湾曲経路に沿って第１の位置まで回転する。第１の位置では、ファンフラップの前縁は、停止特徴部とソケットの前縁との間に配置される。
【００３２】
第２の実施形態のいくつかの例において、ファンフラップは、ファンモジュールがソケットに完全に挿入されることに応答して、湾曲経路に沿って第２の位置まで回転する。第２の位置では、ファンフラップの前縁は、停止特徴部と第２の側壁との間に配置される。
【００３３】
第２の実施形態のいくつかの例では、停止特徴部は、ファンモジュールがソケットから取り外されたときに、ファンフラップが第１の位置から第２の位置に回転するのを防止する。
【００３４】
上記概要は、本開示の各実施形態またはすべての態様を表すことを意図するものでない。むしろ、上述の概要は単に、本明細書に記載した新たな態様および特徴の一部の例を提供する。本開示の上記特徴および利点、ならびに他の特徴および利点は、添付図面および添付の特許請求の範囲とともに解されると、本発明を行うための代表的な実施形態および形態の以下の詳細な説明から容易に明らかになるであろう。
【００３５】
本開示は、添付図面を参照するとともに例示的な実施形態の以下の説明からよりよく理解されるであろう。
【図面の簡単な説明】
【００３６】
【図１】ファンモジュールが取り外されたときの空気のリフローの問題を示す、ファンモジュールを備えた従来技術のファン壁である。
【図２Ａ】ファンフラップが内側に押されることにより故障するのを防止するための例示的なリフロー防止装置の斜視図である。
【図２Ｂ】図２Ａに示される例示的なリフロー防止装置の平面図である。
【図３Ａ】図２Ａの例示的なリフロー防止装置が取り付けられたソケットの斜視図である。
【図３Ｂ】図２Ａの例示的なリフロー防止装置が取り付けられた図３Ａのソケットの欠截斜視図である。
【図４Ａ】図２Ａのリフロー防止装置が取り付けられたソケットに挿入されているファンモジュールの上面図である。
【図４Ｂ】ソケットに挿入されているファンモジュールの上面図であり、ファンモジュールを収容するためにソケット壁の１つから押し出されるリフロー防止装置を示している。
【図４Ｃ】ソケットに挿入されているファンモジュールの上面図であり、リフロー防止装置を越えて揺動する、ソケットのファンフラップを示している。
【図４Ｄ】ソケットに完全に挿入されたファンモジュールの上面図である。
【図５Ａ】ソケットの上面図であり、ファンフラップをブロックし、それにより故障を防ぐリフロー防止装置を示している。
【図５Ｂ】図５Ａにおいてファンフラップが内側に移動することを防ぐリフロー防止装置の拡大上面図である。
【図６】リフロー防止装置によって故障が防がれているファンフラップの背面斜視図である。
【図７】図２Ａのリフロー防止装置をソケットに取り付けるために使用され得る支持フレームの斜視図である。
【図８】図７の支持フレームを備えたソケットの斜視図である。
【発明を実施するための形態】
【００３７】
本開示は、種々の修正および代替形態の余地がある。いくつかの代表的な実施形態を図において例示によって示しており、本明細書において詳細に説明する。しかし、本発明は、開示された特定の形態に限定されることを意図するものでない。むしろ、本開示は、添付の特許請求の範囲によって画定されるような本発明の趣旨および範囲内に収まる修正、均等、および代替形態のすべてを包含するものとする。
【００３８】
本発明は、多くの異なる形態において実施することが可能である。代表的な実施形態は図面において示し、本明細書において詳細に説明する。本開示は、本開示の原理の例または例証であり、本開示の広い態様を、例証された実施形態に限定することを意図するものでない。その範囲で、たとえば、要約、概要、および詳細な説明の章に開示されているが、特許請求の範囲に明示的に記載されていない構成要素および限定は、含意、推論、または別の方法により、単独でまたは一括して特許請求の範囲に組み入れるべきでない。本詳細な説明の目的では、別途明記しない限り、単数形は複数形を包含し、逆も同様であり、「含んでいる（including）」との用語は、「限定なしで含む」ことを意味する。さらに、「約（about）」、「ほぼ（almost）」、「実質的に（substantially）」、「およそ（approximately）」等などの近似の用語は、ここでは、「〜において」、「近く」、「ほぼ〜において」、「〜の３−５％内で」、「許容される製造公差内で」、またはそれらのいずれかの論理的な組み合わせを意味するために使用することが可能である。
【００３９】
本開示は、ファンフラップが内側に引っ張られないようにし、それによりファン壁の空のソケットを空気流から遮断することを妨げないようにするために、ソケットに設置され得るリフロー防止装置に関する。図２Ａは、ファンフラップの故障を防止するための例示的なリフロー防止装置１００の正面斜視図である。図２Ｂは、図２Ａに示す例示的なリフロー防止装置１００の背面図である。リフロー防止装置１００は、近位端１０２および遠位端１０４を有する略矩形のパネルである。以下に説明する特徴がリフロー防止装置によってサポートされる限り、他の形状を使用することもできる。リフロー防止装置１００は、板状金属、ダイカスト金属、プラスチック、ステンレス鋼（ＳＵＳ３０４ステンレス鋼またはＳＳ３０４ステンレス鋼など）、銅合金（ベリリウム銅など）、または任意の他の適切な金属などの、柔軟性を有しつつも高強度の材料で構成される。リフロー防止装置は、柔軟性を有するプラスチックで構成することもできる。
【００４０】
リフロー防止装置１００は、前面１０６と、反対側の背面１０８とを有する。リフロー防止装置１００は、リフロー防止装置をソケット壁に取り付けるための１つまたは複数の取り付け特徴部を含む。一実施形態では、１つまたは複数の取り付け特徴部は、リフロー防止装置の近位端１０２の近くに画定された２つの孔１１０および１１２を含む。孔１１０および１１２は、ソケット壁に取り付けるための留め具を収容するように構成される。留め具は、たとえば、リベット、ピン、ボルト、クランプ、ネジ、釘などであり得る。
【００４１】
エンボス特徴部１２０は、前面１０６から延びるように、リフロー防止装置１００の中央付近に形成される。逃げ切り欠き部１３０は、遠位端１０４付近に形成することができる。この例の逃げ切り欠き部１３０は、半円形である。停止特徴部１３２は、前面１０６から延びるように形成される。いくつかの実装形態では、停止機構１３２は、図２Ａおよび図３Ｂに示されるように、略半ドーム形状を有する。しかし、他の実装形態の停止特徴部１３２は、異なる形状を有してもよい。いくつかの実装形態では、リフロー防止装置１００は、逃げ切り欠き部１３０を含まない。
【００４２】
図３Ａは、図２Ａおよび図２Ｂの例示的なリフロー防止装置１００が取り付けられたファン壁２００および対応するソケット２１０の斜視図である。図３Ｂは、図２Ａの例示的なリフロー防止装置１００が取り付けられた図３Ａのソケット２１０の部分透視斜視図である。ファン壁２００からの空気は、サーバーなどの電子デバイスのコンポーネントを冷却する。ファン壁２００は、ソケット２１０などのソケットに挿入されるファンモジュール２１２などの複数のファンモジュールを含む。この例では、ファン壁２００は、垂直壁２２０および２２２を含む。垂直壁２２０は、２つの平行な側部パネル２２４および２２６から形成される。側部パネル２２４および２２６は、上部で上部パネル２２８によって接合される。側部パネル２２４および２２６の反対側の底部は、取り付けブラケット２３０に取り付けられる。近位パネル２３２は、側部パネル２２４および２２６の前縁を接合する。近位パネル２３２の反対側の遠位パネル２３４は、側部パネル２２４および２２６の後縁を接合する。側部パネル２２６は、外面２３６および内面２３８を含む。取り付けブラケット２３０は、水平棚２４０に取り付けられる。
【００４３】
垂直壁２２２はまた、近位パネル２５４および上部パネル２５６に取り付けられる平行な側部パネル２５０および２５２を含む。側部パネル２５０は、ファンフラップ２６０を枢動可能に支持する。図３Ａに示されるように、垂直壁２２０および２２２ならびに水平棚２４０がソケット２１０を形成する。したがって、ファンモジュールは、垂直壁２２０および２２２の間の水平棚２４０上に挿入され得る。ファンモジュールは、ソケット２１０に挿入されると、ファンフラップ２６０を側部パネル２５０に押圧する。図３Ａに示されるようにファンモジュールがソケット２１０に存在しない場合、バネ機構は、ファンフラップ２６０を側部パネル２２４の外面２３６に向かって揺動させる。
【００４４】
図２Ａ〜２Ｂに示されたリフロー防止装置１００は、図３Ｂに詳細に示されるように、側部パネル２２６の内面２３８に取り付けられる。この例では、リフロー防止装置１００の近位端１０２を側部パネル２２６の近位端に取り付けるために、リベット（図示せず）などの留め具が孔１１０および１１２に取り付けられ得る。側部パネル２２６は、前方開口部２７０および後方開口部２７２を含む。前方開口部２７０は、リフロー防止装置１００のエンボス特徴部１２０とほぼ同じ形状である。したがって、エンボス特徴部１２０は、図３Ａおよび図３Ｂに示すように、前方開口部２７０を通って延びる。後方開口部２７２は、リフロー防止装置１００の停止特徴部１３２とほぼ同じ形状である。停止特徴部１３２は、図３Ａおよび図３Ｂに示すように、後方開口部２７２を通って延びる。以下に説明するように、停止特徴部１３２は、ファンフラップ２６０の縁に接触し、ファンフラップ２６０が内側に揺動する（これにより、ファンモジュール２１２が取り外されたときに、ファンフラップ２６０がソケット２１０を通るリフローを防ぐのを誤って停止させる）のを防ぐ。
【００４５】
図４Ａは、図２Ａのリフロー防止装置１００が取り付けられた状態で、図３Ａのソケット２１０に最初に挿入されているファンモジュール３００の上面図である。図４Ｂは、ファンフラップ２６０がリフロー防止装置１００の停止特徴部１３２を越えて揺動する前にソケット２１０に挿入され続けるファンモジュール３００の上面図である。したがって、図４Ｂは、ファンモジュール３００によって側部パネル２２６の内面２３８から離れるように側部パネル２２４に向かって押圧されているリフロー防止装置１００を示している。図４Ｃは、ファンフラップ２６０がリフロー防止装置１００の停止特徴部１３２を越えて揺動した後、ソケット２１０に挿入され続けるファンモジュール３００の上面図である。図４Ｄは、ファンフラップ２６０が側部パネル２５０の外面２５８と同一平面になるように、ソケット２１０に完全に挿入されているファンモジュール３００の上面図である。
【００４６】
図４Ａに示すように、ファンフラップ２６０の後縁は、ヒンジ３１０を介して側部パネル２５０の外面２５８に取り付けられる。ファンフラップ２６０と側部パネル２５０の外面２５８との間にバネ３１２が取り付けられる。バネ３１２は、ファンフラップ２６０をヒンジ３１０の周りでソケット２１０を遮断する位置に強制的に回転させる。ファンフラップ２６０の前縁は、ファンフラップ２６０が、たとえばソケット２１０の前縁と停止特徴部１３２との間でソケット２１０を遮断するときに、リフロー防止装置１００の停止特徴部１３２から遠位に位置付けられるタブ３２０を含む。
【００４７】
停止特徴部１３２は、側部パネル２２６の外面２３６から後方開口部２７２を通って外方に延び、タブ３２０と接触する。エンボス特徴部１２０は、側部パネル２２６の外面２３６から前方開口部２７０を通って外方に延びる。したがって、ファンモジュール３００がソケット２１０に挿入されていないとき、ファンフラップ２６０は第１の位置に配置される。第１の位置では、タブ３２０を含むファンフラップ２６０の前縁は、ソケット２１０の前縁と停止特徴部１３２との間に配置される。
【００４８】
ファンモジュール３００が最初に挿入されるとき、停止特徴部１３２は、ファンフラップ２６０が側部パネル２５０の外面２５８に向かって内側に回転するのを防ぐ。したがって、ファンモジュール３００がまだソケット２１０に挿入されていないとき、または、ファンモジュール３００が最初にソケット２１０に挿入されているとき（図４Ａに示すように）、ファンフラップ２６０は、ソケット２１０を通る空気流を遮断する。
【００４９】
ファンモジュール３００をソケット２１０に押し込むことにより、ファンモジュール３００をソケット２１０内および水平棚２４０上に挿入することができる。ファンモジュール３００は、図４Ｂに示されるように、ソケット２１０内および水平棚２４０上にさらに挿入されると、側部パネル２２６の外面２３６に近いファンモジュール３００の側部は、前方開口部２７０から外に延びる、リフロー防止装置１００のエンボス特徴部１２０に接触する。リフロー防止装置１００の近位端１０２だけが、側部パネル２２６の内面２３８に取り付けられるので、リフロー防止装置１００の遠位端１０４は、側部パネル２２６の内面２３８から押し出される。これにより、停止特徴部１３２が、ファンフラップ２６０のタブ３２０が移動する湾曲した経路にもはや配置されないように、側部パネル２２６の後方開口部２７２から停止特徴部１３２が後退する。この湾曲経路は円形であってもよく、または概して任意の適切な量の曲率を有してもよく、たとえば、任意の適切な曲率半径を有してもよい。一部の実装形態では、この経路は、直線であるか、または一連の直線経路を備える。ファンフラップ２６０およびタブ３２０の位置もまた、第１の位置であると考えられ、これは概して、後方開口部２７２を過ぎて揺動する前のタブ３２０およびファンフラップ２６０の任意の位置である。
【００５０】
図４Ｃに示すように、ファンモジュール３００がソケット２１０に挿入され続けると、ファンモジュール３００は、側部パネル２２６の前方および後方開口部２７０、２７２を通過して移動し、ファンフラップ２６０は、側部パネル２５０に向かって回転し続ける。停止特徴部１３２は、側部パネル２２６の外表面２３６から押し離されるので、停止特徴部１３２は、もはやタブ３２０に接触しない。これにより、ファンフラップ２６０が後方開口部２７２を通過して第２の位置に押し出される。この第２の位置では、ファンフラップ２６０のタブ３２０は、（ｉ）停止特徴部１３２、および停止特徴部１３２がそこから外に延びる後方開口部２７２と、（ｉｉ）側部パネル２５０の外面２５８との間に配置される。
【００５１】
図４Ｄに示すように、一旦ファンモジュール３００がソケット２１０に完全に挿入されると、ファンフラップ２６０は、側部パネル２５０の外面２５８に対して面一になるように、側部パネル２５０に向かって完全に回転することができる。図４Ｄに示される位置はまた、第２の位置であると考えられ、第２の位置は、概して、タブ３２０が後方開口部２７２を通過して揺動した後のタブ３２０およびファンフラップ２６０の任意の位置である。したがって、ファンモジュール３００がソケット２１０に完全に挿入されると、ファンフラップ２６０は、もはやソケット２１０を遮断しないため、ファンモジュール３００は、空気を循環させることができる。
【００５２】
図５Ａは、ファンモジュールがソケット２１０から完全に取り外された後のソケット２１０を示す。図５Ｂは、図５Ａの円形破線領域の拡大図を示し、ファンモジュールがソケットから完全に取り外されたときの停止特徴部１３２とファンフラップ２６０のタブ３２０とを示す。ファンモジュール３００がソケット２１０から取り外されると、バネ３１２は、ヒンジ３１０を介してファンフラップ２６０を側部パネル２５０の外面２５８から離れるように回転させる。ファンモジュール３００は、ソケット２１０から取り外されているときには、リフロー防止装置１００のエンボス特徴部１２０と接触したままである。したがって、リフロー防止装置１００の遠位端１０４は、側部パネル２２６の内面２３８から依然として押し離されており、停止特徴部１３２は、後方開口部２７２から依然として後退されている。タブ３２０を含む、ファンフラップ２６０の前縁は、後方開口部２７２の遠位側（たとえば、停止特徴部１３２と側部パネル２５０の外面２５８との間）から後方開口部２７２の近位側（たとえば、停止特徴部１３２とソケット２１０の前縁との間）に通過する。
【００５３】
タブ３２０を含む、ファンフラップ２６０の前縁が、後方開口部２７２の近位側を通過すると、ファンモジュール３００をソケット２１０から完全に取り外すことができる。バネ３１２の力により、ファンフラップ２６０は、停止特徴部１３２とソケット２１０の前縁との間の第１の位置まで揺動して、ソケット２１０を覆うことになる。しかし、ファンモジュール３００は、もはやリフロー防止装置のエンボス特徴部１２０に接触しないため、リフロー防止装置１００の遠位端１０４は、側部パネル２２６の内面２３８から離されることはない。したがって、リフロー防止装置１００の停止特徴部１３２は、側部パネル２２６の後方開口部２７２を通って再び延びることになる。
【００５４】
空気がソケット２１０を通って逆流する場合、ファンフラップ２６０のタブ３２０は停止特徴部１３２に接触し、それは、ファンフラップ２６０が停止特徴部１３２と側部パネル２５０の外部表面２５８との間の第２の位置に揺動して戻るのを防ぐ。これにより、空気がソケット２１０に再逆流するのが防止される。したがって、停止特徴部１３２は、後方開口部２７２の近位側においてファンフラップ２６０のタブ３２０を保持し、これにより、空気がソケット２１０を通って逆流するのを防ぐ。
【００５５】
図６は、上記の図に示されているリフロー防止装置１００によって故障が防止されているファンフラップ２６０の背面斜視図である。ファンフラップ２６０は、側部パネル２５０に取り付けられたヒンジ３１０によって支持される。ファンフラップ２６０は、側部パネル２５０の外面と側部パネル２２６の外面２３６との間の位置まで揺動して、ソケットを遮断する。停止特徴部１３２は、側部パネル２２６の外面２３６から後方開口部２７２の外に延びる。次いで、停止特徴部１３２は、タブ３２０に接触し、ファンフラップ２６０が空気圧（矢印５００で示す）によって内側に回転するのを防ぐ。したがって、ファンフラップ２６０は、空のソケット２１０を通る空気の流れを防ぐ。
【００５６】
開示された特徴の別の例は、リフロー防止装置１００を保持してファンフラップの破損を防ぐために、ファン壁の既存のソケットで使用され得る特殊な支持フレームである。図７は、リフロー防止装置１００をソケットの側部パネルの１つに直接取り付けることができない場合、図２Ａのリフロー防止装置をソケットに設置するために使用され得る例示的な支持フレーム６００の斜視図である。支持フレーム６００は、一対の側部支持体６１２および６１４を含む。側部支持体６１２および側部支持体６１４の上端は、上部支持体６１６によって接合される。底部支持体６１８は、側部支持体６１２の下端に接合される。側部支持体６１２は、上部支持体６１６の、より広い端部に取り付けられた比較的広い上部縁を有する。上部支持体６１６は、他方の側部支持体６１４に取り付けられた、より狭い縁に向かってテーパー状になっている。いくつかの実装形態では、支持フレーム６００は、プラスチック、アクリロニトリルブタジエンスチレン（ＡＢＳ）、高密度ポリエチレン（ＨＤＰＥ）、低密度ポリエチレン（ＬＤＰＥ）、またはその他の適切なポリマーなどのポリマーで作製される。支持フレーム６００はまた、任意の適切なタイプの金属、ゴム、シリコン状材料、または柔軟で変形可能な他の材料で作製することができる。
【００５７】
側部支持体６１２は、近位取り付けタブ６２０を含む。リフロー防止装置１００の近位端１０２は、近位取り付けタブ６２０に取り付けることができる。いくつかの実装形態では、近位取り付けタブ６２０は、（図２Ａおよび図２Ｂの）リフロー防止装置１００の孔１１０および１１２と整列する孔を含む。リフロー防止装置１００を近位取り付けタブ６２０に取り付けるために、リベットまたは他の機構などの留め具が、リフロー防止装置１００の孔１１０および１１２および近位取り付けタブ６２０に挿入され得る。したがって、エンボス特徴部１２０および停止特徴部１３２は、側部支持体６１２の平面から延びる位置と、側部支持体６１２の平面の後ろの位置との間で移動され得る。
【００５８】
遠位延在タブ６３０は、ソケットの壁に対する追加の安定性を可能にする。遠位延在タブ６３０は、取り付け孔６３２を含む。側部支持体６１２の上端は、取り付け孔６４２を有する取り付けタブ６４０を含む。側部支持体６１２に取り付けられた端部とは反対の底部支持体６１８の端部は、取り付け孔６５２を有し得る取り付けタブ６５０を含む。
【００５９】
図８は、図２Ａのリフロー防止装置１００を設置できるようにするために、図７の支持フレーム６００を備えたソケット７１０を含むファン壁７００の斜視図である。ソケット７１０は、２つの側壁７１２および７１４、上部棚７１６、ならびに底部棚７１８によって画定される。側壁７１２および７１４は、底部棚７１８に取り付けられる。側壁７１２および７１４は、対応する外面７２２および７２４を含む。ファンフラップ７３０は、ヒンジを介して外面７２４に取り付けられる。ファンフラップ７３０は、外面７２４と面一の位置と、外面７２２および７２４の間の位置との間で揺動して、ソケット７１０を遮断する。
【００６０】
図８に見られるように、リフロー防止装置１００は、支持フレーム６００に取り付けられる。次に、リフロー防止装置１００が取り付けられた支持フレーム６００が、ソケット７１０に挿入される。側部支持体６１２および６１４がそれぞれ、側壁７１２および７１４と接触する一方で、上部支持体６１６および底部支持体６１８がそれぞれ、棚７１６および７１８と接触して、挿入されたファンモジュールを支持する。概して、支持フレーム６００は、ソケットに挿入されるとわずかに変形し、したがって、ソケット７１０にカチッと嵌まり（snap into）、摩擦嵌合によってソケット７１０内に維持され得る。他の実装形態では、クリップ、ラッチ、ロッド、ピン、有刺特徴部（barbed feature）、または他の留め具を使用して、支持フレーム６００をソケット７１０に固定することができる。支持フレーム６００がソケット７１０に挿入されると、リフロー防止装置１００は、側壁７１２の外面７２２と支持フレーム６００の近位取り付けタブ６２０との間に保持される。遠位延在タブ６３０は、支持フレーム６００がソケットに設置されるときの、リフロー防止装置１００の支持のために、さらなる安定性を提供する。リフロー防止装置１００の遠位端１０４は、ソケット７１０内に延びており、ファンモジュールの挿入により押し戻され得る。
【００６１】
上記の図４Ａ〜４Ｄ、５Ａ、および５Ｂで説明した動作と同様に、ファンモジュールがソケット７１０から取り外されると、ファンフラップ７３０が回転してソケット７１０を遮断する。リフロー防止装置１００の停止特徴部１３２は、ファンフラップ７３０の内向きの回転を停止させることにより、ファンフラップ７３０が故障するのを防ぐ。したがって、ファンフラップ７３０は、ファンモジュールが取り外されたときに、ソケット７１０を通る空気流を遮断し続ける。
【００６２】
本明細書において使用される用語は、特定の実施形態を説明する目的のためであり、本発明の限定であることを意図するものでない。本明細書において使用されるように、単数形「ａ」、「ａｎ」、および「ｔｈｅ」は、前後関係が明らかにそうでないことを示さない限り、複数形も含むことを意図している。さらに、「含んでいる（including）」、「含む（includes）」、「有している（having）」、「有する（has）」、「有する（with）」の用語、またはそれらの変形が詳細な説明および／または特許請求の範囲において使用されている範囲内で、そうした用語は、「備えている（comprising）」の用語と同様に包含的であることを意図している。
【００６３】
別途明記しない限り、本明細書において使用される、（科学技術用語を含む）用語はすべて、当業者によって通常理解されている意味と同じ意味を有している。さらに、通常使用されている辞書において定義されている用語などの用語は、関連技術の意味合いでそれらの意味と一致する意味を有しているものと解されるべきであり、本明細書にそのように明記していない限り、理想化された、または過度に形式的な意味で解されないものとする。
【００６４】
本発明の種々の実施形態を上述したが、それらは限定でなく、例としてのみで提示している。本発明の趣旨または範囲から逸脱することなく、開示された実施形態に対する数多くの変更を本明細書における開示に応じて行うことが可能である。よって、本発明の範囲は、上記実施形態のいずれによっても限定されるべきでない。むしろ、本発明の範囲は、以下の特許請求の範囲、およびそれらの均等物に応じて規定されるべきである。
【００６５】
本発明を１つまたは複数の実現形態に関して例証し、説明したが、本明細書および添付図面を読み、理解することにより、当業者が均等の改変、および修正を思いつく、または当業者に上記均等の改変、および修正が知られるであろう。さらに、本発明の特定の構成を、いくつかの実現形態のうちの１つのみに関して開示している場合があるが、そうした構成を、いずれの所定の、または特定の出願についても望ましく、有利であり得るように他の実現形態の１つまたは複数の他の構成と組み合わせ得る。
【図１】
2020149659.tif 000003
【図２Ａ】
2020149659.tif 000004
【図２Ｂ】
2020149659.tif 000005
【図３Ａ】
2020149659.tif 000006
【図３Ｂ】
2020149659.tif 000007
【図４Ａ】
2020149659.tif 000008
【図４Ｂ】
2020149659.tif 000009
【図４Ｃ】
2020149659.tif 000010
【図４Ｄ】
2020149659.tif 000011
【図５Ａ】
2020149659.tif 000012
【図５Ｂ】
2020149659.tif 000013
【図６】
2020149659.tif 000014
【図７】
2020149659.tif 000015
【図８】
2020149659.tif 000016
【外国語明細書】
2020149659000001.pdf
2020149659000002.pdf
2020149659000003.pdf
2020149659000004.pdf